(57)【要約】【課題】フィルタ交換の手間やコストをかけず、室内ユニットの能力を低下させないフィルタを備えた壁掛け型空気調和装置を提供する。【解決手段】室内熱交換器２０の外周へ回転駆動機構４５を備え、回転する円筒形状のフィルタ３２を設け、このフィルタ３２に隣接して、フィルタ３２で捕獲した埃塵を回収する埃塵回収機構５７を設ける。そして、壁掛け型空気調和装置１００の運転中、前記フィルタ３２を回転させながら空調運転を行わせることにより、常に、新たなフィルタ面での運転が行えるため、室内ユニットの能力が低下しないとともに、前記埃塵回収機構５７により、フィルタ３２のフィルタ面は、新たなものとなるため、フィルタ交換の手間やコストもかからないものとすることができる。【選択図】      図３
2004286234.tif 000002
【特許請求の範囲】
【請求項１】
室内空気を流通させ、前記室内空気と熱交換させる室内熱交換器の風上に前記室内空気のろ過を行うフィルタを備える室内ユニットを有する壁掛け型空気調和装置において、
前記フィルタを、円筒形状に形成し、回転駆動機構により回転されるフィルタとして室内熱交換器を囲う様に設け、このフィルタに隣接して、前記フィルタで捕獲した埃塵を回収する埃塵回収機構を備えたことを特徴とする壁掛け型空気調和装置。
【請求項２】
前記フィルタを、回転する枠体と、この枠体へ着脱可能に取り付けられるフィルタ本体とにより構成したことを特徴とする請求項１に記載の壁掛け型空気調和装置。
【請求項３】
前記室内ユニットに前記フィルタを取り付ける円筒状の枠体を回転駆動する駆動部を設けて前記フィルタを前記室内熱交換器の外周上で回転させたことを特徴とする請求項１または２に記載の壁掛け型空気調和装置。
【請求項４】
前記フィルタ本体と前記枠体とを掛止部および固定部により取り付けたことを特徴とする請求項１乃至３のいずれかに記載の壁掛け型空気調和装置。
【請求項５】
前記枠体を前記室内ユニットのフレームとなる室内ユニット本体に設けた複数箇所の支持部で支持させたことを特徴とする請求項１乃至４のいずれかに記載の壁掛け型空気調和装置。
【請求項６】
前記埃塵回収機構は、前記室内ユニット内の底部に埃塵を収納するダストボックスを設けるとともに、このダストボックスの前記フィルタに隣接する面に前記フィルタと略同等の幅で、かつ、前記フィルタとの間に連動機構を有するブラシを備えて前記フィルタで捕集した埃塵を前記ダストボックスへと回収するものとしたことを特徴とする請求項１乃至５のいずれかに記載の壁掛け型空気調和装置。
【請求項７】
前記埃塵回収機構は、前記室内ユニット内の底部に埃塵を収納するダストボックスを設けるとともに、このダストボックスの前記フィルタに隣接する面に前記フィルタと略同等の幅の開口部を設け、前記ダストボックスの一端に吸引装置を設けて前記フィルタで捕集した埃塵を前記ダストボックスへと吸引して回収するものとしたことを特徴とする請求項１乃至６のいずれかに記載の壁掛け型空気調和装置。
【請求項８】
前記室内ユニットの底部に前記ダストボックスと連通し、前記ダストボックス内へ一旦回収した埃塵を前記室内ユニット外へと回収させる扉を備えた開口部を設けたことを特徴とする請求項１乃至７のいずれかに記載の壁掛け型空気調和装置。
【発明の詳細な説明】
【０００１】
【発明の属する技術分野】
本発明は、空気調和装置に係り、特に、室内熱交換器の風上に設置して室内空気のろ過を行わせるフィルタを備えた壁掛け形空気調和装置に関する。
【０００２】
【従来の技術】
これまでの壁掛け型空気調和装置では、室内ユニット内に室内熱交換器を収納し、その風下に室内送風機を設け、前記室内熱交換器の風上に埃塵を捕獲するフィルタを設けた構成となっている。
【０００３】
このフィルタは、室内空間に浮遊する比較的大きな埃や塵を捕獲し、室内空気をろ過して室内熱交換器の目詰まりを防止するために設けられており、通常、室内ユニットの吸込み口の裏面で、室内熱交換器の風上に設けられていた。
【０００４】
このため、空気調和装置の運転を長時間行っても、室内熱交換器は、前記フィルタによりろ過された室内空気が通過するため、目詰まりなども起こすことは無かった。
【０００５】
これに対し、前記フィルタは、前記空気調和装置の運転が行われれば、埃や塵の浮遊した室内空気が通過し、これを捕獲するため、前記空気調和装置の運転が所定時間を経過したならば、このフィルタの掃除を行う必要があり、前記掃除を怠った場合には、前記室内熱交換器を通過する室内空気の抵抗となり、前記空気調和装置の能力を低下させてしまう１つの原因となっていた。
【０００６】
しかし、このフィルタは、上述の様に室内ユニットの吸込み口の裏面に設けられている。このため、このフィルタの掃除を行うにも、前記室内ユニットまで手を延ばし、吸込みグリルを開放させて、前記フィルタを取り外し、掃除を行って、再度、前記室内ユニットの吸込みグリル裏面の位置へと戻さなければ成らなず、手間のかかるものであった。
【０００７】
このため、前記吸込み口の一端側へ巻物状のフィルタを備え、他端側へこの巻物状のフィルタを巻き取る巻き取り機構を備えて、前記空気調和装置が所定の運転時間に達した場合、現在使用のフィルタ面での前記埃塵の捕獲量が所定の捕獲量に達したとして、前記室内熱交換器の風上に設けられていた分のフィルタを前記他端側へ巻き取ってフィルタ面を新たにして、前記フィルタの掃除の手間を軽減させることが提案されている（例えば、特許文献１参照）。
【０００８】
【特許文献１】
特開２００１−９９４８０号（第３頁、第１図）
【０００９】
【発明が解決しようとする課題】
しかしながら、巻物状に長くした特許文献１に記載されるフィルタでは、現在使用しているフィルタ面で、所定時間の運転が行われた場合、前記他端側へとフィルタを巻き取り新たなフィルタ面をセットするため、このフィルタの掃除を行う必要は無くなるが、前記現在使用しているフィルタ面は、前記所定時間が経過するまで、新たなものとならないため、前記所定時間が経過する直前の室内ユニットの能力は、前記フィルタ面に捕獲された埃塵により低下してしまっていた。
【００１０】
さらに、使用していたフィルタが終了してしまったならば、新たなフィルタへと交換を行わなければ成らないため、この交換のコストがかかるものと成ってしまっていた。
【００１１】
このことから、本発明の目的は、フィルタ交換の手間やコストをかけず、室内ユニットの能力を低下させないフィルタを備えた壁掛け型空気調和装置を提供することにある。
【００１２】
【課題を解決するための手段】
請求項１に記載の発明は、室内空気を流通させ、前記室内空気と熱交換させる室内熱交換器の風上に前記室内空気のろ過を行うフィルタを備える室内ユニットを有する壁掛け型空気調和装置において、前記フィルタを、円筒形状に形成し、回転駆動機構により回転されるフィルタとして室内熱交換器を囲う様に設け、このフィルタに隣接して、前記フィルタで捕獲した埃塵を回収する埃塵回収機構を備えたことを特徴とするものである。
【００１３】
請求項２に記載の発明は、請求項１に記載の発明において、前記フィルタを、前記回転する枠体と、この枠体へ着脱可能に取り付けられるフィルタ本体とにより構成したことを特徴とするものである。
【００１４】
請求項３に記載の発明は、請求項１または２に記載の発明において、前記室内ユニットに前記フィルタを取り付ける円筒状の枠体を回転駆動する駆動部を設けて前記フィルタを前記室内熱交換器の外周上で回転させたことを特徴とするものである。
【００１５】
請求項４に記載の発明は、請求項１乃至３のいずれかに記載の発明において、前記フィルタ本体と前記枠体とを掛止部および固定部により取り付けたことを特徴とするものである。
【００１６】
請求項５に記載の発明は、請求項１乃至４のいずれかに記載の発明において、前記枠体を前記室内ユニットのフレームとなる室内ユニット本体に設けた複数箇所の支持部を設けて支持させたことを特徴とするものである。
【００１７】
請求項６に記載の発明は、請求項１乃至５のいずれかに記載の発明において、前記埃塵回収機構は、前記室内ユニット内の底部に埃塵を収納するダストボックスを設けるとともに、このダストボックスの前記フィルタに隣接する面に前記フィルタと略同等の幅で、かつ、前記フィルタとの間に連動機構を有するブラシを備えて前記フィルタで捕集した埃塵を前記ダストボックスへと回収するものとしたことを特徴とするものである。
【００１８】
請求項７に記載の発明は、請求項１乃至６のいずれかに記載の発明において、前記埃塵回収機構は、前記室内ユニット内の底部に埃塵を収納するダストボックスを設けるとともに、このダストボックスの前記フィルタに隣接する面に前記フィルタと略同等の幅の開口部を設け、前記ダストボックスの一端に吸引装置を設けて前記フィルタで捕集した埃塵を前記ダストボックスへと吸引して回収するものとしたことを特徴とするものである。
【００１９】
請求項８に記載の発明は、請求項１乃至７のいずれかに記載の発明において、前記室内ユニットの底部に前記ダストボックスと連通し、前記ダストボックス内へ一旦回収した埃塵を前記室内ユニット外へと回収させる扉を備えた開口部を設けたことを特徴とするものである。
【００２０】
【発明の実施の形態】
以下、本発明の一実施の形態について、図１〜図７を用いて説明を行う。
【００２１】
図１は、壁掛け型空気調和装置の冷媒回路図である。
【００２２】
図２は、壁掛け型室内ユニットの正面図である。
【００２３】
図３は、壁掛け型室内ユニットの側方断面図である。
【００２４】
図４は、フィルタの構成図である。
【００２５】
図５は、壁掛け型室内ユニットの構造図である。
【００２６】
図６は、壁掛け型室内ユニットの分解図である。
【００２７】
図７は、フィルタと埃塵回収機構とについて示した図である。
【００２８】
まず、図１に示す様に、壁掛け型空気調和装置１００は、室外ユニット１と、壁掛け型室内ユニット２とを、液管３ａおよびガス管３ｂからなるユニット間配管３と、通信配線４とで接続して構成され、室外ユニット１には、圧縮機１０と、四方弁１１と、室外熱交換器１２と、室外電動弁１３と、アキュームレータ１４とが冷媒配管で接続されて内蔵されており、さらに、室外熱交換器１２への送風を行なう室外送風機１５と、室外ユニット１の運転制御、および、壁掛け型室内ユニット２に内蔵された室内制御部２２との通信を行う室外制御部１６とが内蔵されて構成されている。
【００２９】
また、壁掛け型室内ユニット２には、室内熱交換器２０が冷媒配管を接続して内蔵され、さらに、この室内熱交換器２０への送風を行う室内送風機２１と、壁掛け型室内ユニット２の運転制御、および、室外ユニット１に内蔵された室外制御部１６との通信を行う室内制御部２２とが内蔵されている。
【００３０】
図２に示す様に、吹出し口２５は前面を向いている。この壁掛け型室内ユニット２の中央部には、前面に吸込み口２３ａを備えた吸込みグリル２４ａが、天面に吸込み口２３ｂを備えた吸込みグリル２４ｂが、それぞれ備えられており、吸込みグリル２４ａ、２４ｂの内側に室内熱交換器２０（図５、図７参照）が収納されている。
【００３１】
また、その一方の側部位置には、この壁掛け型室内ユニット２の室内ユニット本体２６と一体成形された側板２７が設けられており、他方の側部位置には、表示部２９を備えた表示部取り付けアングル３０が備えられており、この表示部取り付けアングル３０は、室内ユニット本体２６へ取り付けられている。
【００３２】
さらに、この側板２７、および、表示部取り付けアングル３０のそれぞれの外側には、吹出し口２５を備えたファンケース２８が設けられており、それぞれの吹出し口２５には、吹出された空気を左右方向へと風向させる風向板３８が設けられている。このファンケース２８内には、図６に示す様に、室内ユニット本体２６から延びる送風モータ取り付けアングル３９に取り付けられた室内送風ファン３４、および、室内送風モータ４０が収納されている。
【００３３】
吸込みグリル２４ｂは、後端縁に設けられた図示しない掛止部により室内ユニット本体２６へ掛止されており、その前隅部には、固定具３５が設けられ、一方は側板２７の側面へ、そして、他方は表示部取り付けアングル３０の側面へ取り付けられている。同様に、吸込みグリル２４ａは、上端部を吸込みグリル２４ｂの前端部に掛止され、図２に示す様に、下端部の隅部に設けられた固定具３６により側板２７および表示部取り付けアングル３０の側面へ固定されるものとなっている。
【００３４】
図３に示す様に、壁掛け型室内ユニット２の背面側には、室内ユニット本体２６が備えられており、前記室内制御部２２は、この室内ユニット本体２６の底面背面側に収納されており、その前方には、ダストボックス５６が備えられている。また、室内熱交換器２０は、室内熱交換部２０ａ〜２０ｄで構成され、壁掛け型室内ユニット２内の前側下方には、室内熱交換部２０ａが配設され、その上方には、室内熱交換部２０ｂが配設され、天部には、室内熱交換部２０ｃが配設され、後方には、室内熱交換部２０ｄが配設されている。室内熱交換器２０は、これら室内熱交換部２０ａ〜２０ｄにより略倒立したＵの字形に構成されて設けられている。
【００３５】
また、室内熱交換部２０ａの下方には、一端を前記側板２７に取り付けられ、他端を後述するフィルタ３２の支持部５４ｂの腕部に取り付けられたドレンパン３１ａが、室内熱交換部２０ｄの下方には、一端を前記側板２７に取り付けられ、他端を前記フィルタ３２の支持部５４ａの腕部に取り付けられたドレンパン３１ｂが、それぞれ設けられており、室内熱交換器２０より滴下したドレン水を滞留させ、後述するドレンホース３７より屋外へ排水するものとされている。
【００３６】
さらに、室内熱交換器２０の天面には、吸込み口２３ｂを備えた吸込みグリル２４ｂが設けられ、前面には、吸込み口２３ａを備えた吸込みグリル２４ａが、それぞれ設けられている。
【００３７】
倒立したＵの字形に構成された室内熱交換器２０の内側は空洞となっており、通風口３３が設けられている。このため、図３の通風口３３の奥には、室内送風ファン３４が確認できる。
【００３８】
そして、吸込み口２３ａ、２３ｂから吸込まれた室内空気は、室内熱交換器２０で熱交換された後、この通風口３３を通って、ファンケース２８内へと侵入し、室内送風ファン３４により吹出し口２５から室内空間へと吹出される。
【００３９】
そして、前記室内熱交換器２０を囲う様に、吸込み口２３ａ、２３ｂから吸込む室内空気をろ過する円筒形状のフィルタ３２が設けられている。この円筒形状に延びるフィルタ３２の一端側は、側板２７に設けられた支持部５３ａ、５３ｂ、５３ｃにより、このフィルタ３２の内側の３箇所で支持されている。
【００４０】
次に、このフィルタ３２について説明する。図４（ａ）に示す様に、フィルタ３２は、フィルタ本体４６と、枠体４７とから構成されている。このフィルタ本体４６は、例えば、前記枠体４７の円周と略同じ長さの１枚のフィルタで、その一側端部の隅部には掛止部４８が設けられ、前記一側端部と対向する他端部には固定部４９が設けられている。また、枠体４７は、例えば、円筒形状の両長端部に円枠４７ａを備え、それぞれの円枠４７ａをつなぐ支持体４７ｂにより構成されており、円枠４７ａの内側にはラック歯車５０が設けられている。また、この円枠４７ａの外周上には、掛止受け部５１と、固定受け部５２が設けられている。そして、図４（ｂ）に示す様に、この枠体４７の掛止受け部５１および固定受け部５２へ、掛止部４８および固定部４９をそれぞれ取り付けてフィルタ３２が構成されている。
【００４１】
このフィルタ３２を枠体４７と、フィルタ本体４６とから構成している理由は、フィルタ３２の強度を向上させるため、および、フィルタ本体４６が破損した場合、このフィルタ本体４６を交換できるようにするため、並びに、フィルタ３２の内側に配設されている室内熱交換器２０のメンテナンスを行えるようにするためである。
【００４２】
そして、このフィルタ３２は、上述の様に、一端側を側板２７に設けられた支持部５３ａ〜５３ｃの３箇所（図３参照）で支持され、他端側は、図５に示す様に、室内ユニット本体２６に取り付けられた支持部５４ａ、５４ｂ、および、回転駆動機構４５（図６参照）に設けられたピニオン歯車５５により、フィルタ３２の内側３箇所で支持されており、前記ピニオン歯車５５は、フィルタ３２の枠体４７のラック歯車５０（図４参照）に噛み合わされている。また、この回転駆動機構４５は、図６の分解図に示す様に、表示部取り付けアングル３０内に収納されている。上述したドレンホース３７は、ドレンパン３１ａ、３１ｂの底部に接続されており、このフィルタ３２の側方から室内ユニット本体２６の背面へ引き出されている。
【００４３】
そして、図５に示す様に、前記回転駆動機構４５が駆動し、前記ピニオン歯車５５が回転することにより、フィルタ３２は、一端を前記支持部５３ａ〜５３ｃにより支持され、他端を支持部５４ａ、５４ｂに支持されながら、例えば、矢印Ｒ方向へと回転するものとなっている。
【００４４】
また、このフィルタ３２に隣接して、フィルタ３２で捕獲した埃塵を回収する埃塵回収機構５７が備えられている。この埃塵回収機構５７は、前記埃塵を回収するダストボックス５６、および、フィルタ３２と略同じ幅で、フィルタ３２の表面から前記塵埃を掃き落とすブラシ５８（図７参照）とにより構成されており、ダストボックス５６は、室内ユニット本体２６の底部に設けられ、ブラシ５８は、図７に示す様に、このダストボックス５７の前記フィルタ３２に隣接する面に設けられたの開口部５９へ設けられている。
【００４５】
そして、ブラシ５８の一端には、図５に示す様に、ゴムローラーなど、フィルタ３２との接触抵抗により駆動される連動機構６０が設けられており、フィルタ３２が回転することにより、前記ブラシ５８が、フィルタ３２の回転方向と逆の回転方向で回転し、フィルタ３２の表面に捕獲された埃塵を掃き落とし、ダストボックス５６内へと回収する。
【００４６】
また、図７に示す様に、ダストボックス５６の底面には、回収扉６１を備えた開口部６２が設けられており、前記ダストボックス５６に回収された埃塵をまとめて回収できる様になっている。
【００４７】
このように構成された壁掛け型空気調和装置１００の運転中、室内制御部２２から回転駆動機構４５を駆動させてフィルタ３２を回転させることにより、常に、室内熱交換器２０の風上へ前記埃塵回収機構５７により埃塵を取り除かれた、きれいなフィルタ面のフィルタ３２が設けられるため、壁掛け型室内ユニット２の能力低下を防ぐことができる。また、フィルタ３２で捕獲された埃塵は、フィルタ３２が回転することにより、自動的にダストボックス５６内へと回収されるため、前記フィルタ３２の交換の手間やコストを省くことができる。
【００４８】
【発明の効果】
以上の説明より、室内熱交換器を囲う様に、回転駆動機構により回転される円筒形状のフィルタを設け、このフィルタに隣接して、前記フィルタで捕獲した埃塵を回収する埃塵回収機構を備えたので、壁掛け型空気調和装置の運転中、常に、きれいなフィルタ面での運転が行えるため、フィルタ交換の手間やコストを省くとともに、室内ユニットの能力を低下させずに空調運転を行わせることが出来る。
【図面の簡単な説明】
【図１】壁掛け型空気調和装置の冷媒回路図である。
【図２】壁掛け型室内ユニットの正面図である。
【図３】壁掛け型室内ユニットの側方断面図である。
【図４】フィルタの構成図である。
【図５】壁掛け型室内ユニットの構造図である。
【図６】壁掛け型室内ユニットの分解図である。
【図７】フィルタと埃塵回収機構とについて示した図である。
【符号の説明】
２  壁掛け型室内ユニット
２０  室内熱交換器
２１  室内送風機
２２  室内制御部
２３  吸込み口
２４  吸込みグリル
２６  室内ユニット本体
３２  フィルタ
４５  回転駆動機構
４６  フィルタ本体
４７  枠体
４７ａ  円枠
４７ｂ  支持体
４８  掛止部
４９  固定部
５０  ラック歯車
５１  掛止受け部
５２  固定受け部
５３ａ〜５３ｃ  支持体
５４ａ、５４ｂ  支持体
５５  ピニオン歯車
５６  ダストボックス
５７  埃塵回収機構
５８  ブラシ
５９  開口部
６０  連動機構
６１  回収扉
６２  開口部
【図１】
2004286234.tif 000003
【図２】
2004286234.tif 000004
【図３】
2004286234.tif 000005
【図４】
2004286234.tif 000006
【図５】
2004286234.tif 000007
【図６】
2004286234.tif 000008
【図７】
2004286234.tif 000009